(57)【要約】【課題】筐体に装着された引出しの移動を防止することができる収納装置、給紙装置、及びこれを備えた画像形成装置を得る。【解決手段】把持部を把持して給紙カセット１８を引き出し及び押し入れする時は、第１コロローラ４０がガイド部４２の上を転がり、さらに、第２コロローラ４６が底板１８Ａと接して転がるため、スムーズに給紙カセット１８を出し入れすることができる。また、給紙カセット１８の装着時には、第１コロローラ４０及び第２コロローラ４６が第１凹部４４及び第２凹部４８に入り込み、底板１８Ａが着地部５０に載るため、底板１８Ａの下面と着地部５０との間に給紙カセット１８の移動方向に摩擦力が発生し、給紙カセット１８の移動を防止することができる。【選択図】図１
2008110826.tif 000002
【特許請求の範囲】
【請求項１】
上方が開口した箱状の引出しと、
前記引出しが引き出し及び押し入れ可能に装着される筐体と、
前記筐体に設けられ、前記引出しの引き出し及び押し入れ時に前記引出しを支持するガイド部と、
前記引出しの底板から下方に向けて突出し、前記引出しの引き出し及び押し入れ時に前記ガイド部に沿って移動する第１受部と、
前記ガイド部に設けられ、前記筐体に前記引出しが装着された時に、前記第１受部が入り込む第１凹部と、
前記筐体に設けられ、前記第１受部が前記第１凹部に入り込むと前記底板が載る着地部と、
を備えることを特徴とする収納装置。
【請求項２】
前記筐体に設けられ、前記底板に向って上方に向って突出し、前記引出しの引き出し及び押し入れ時に前記底板を支持する第２受部と、
前記底板に設けられ、前記筐体に前記引出しが装着された時に、前記第２受部が入り込む第２凹部と、
を備えることを特徴とする請求項１記載の収納装置。
【請求項３】
前記着地部には、係合凹部が設けられ、前記底板には、前記筐体に前記引出しが装着された時に、前記係合凹部と係合する係合突起が設けられることを特徴とする請求項１又は２記載の収納装置。
【請求項４】
前記第１受部が前記第１凹部に入り込むと、前記第１受部が前記第１凹部の底面から離間することを特徴とする請求項１乃至３何れか１項に記載された収納装置。
【請求項５】
前記引出しの引き出し方向から見て、前記第１受部と前記第２受部は離間していることを特徴とする請求項２乃至４何れか１項に記載された収納装置。
【請求項６】
前記引出しには、前記筐体の開口縁部に嵌る前板が設けられ、前記開口縁部に対して前記前板を引き出し及び押し入れ時に、前記第１受部が、前記第１凹部に入り込んでいることを特徴とする請求項１乃至５何れか１項に記載された収納装置。
【請求項７】
前記前板の上面には、前記筐体の内部に向って下方に傾いている傾斜部が設けられていることを特徴とする請求項６記載の収納装置。
【請求項８】
第１受部又は前記第２受部の少なくとも一方はコロローラであることを特徴とする請求項１乃至７何れか１項に記載された収納装置。
【請求項９】
前記収納装置は、画像形成装置の画像形成部に供給されるシート材を収納する給紙装置であって、前記筐体にはシート材を前記引出しの引き出し方向に送り出し、前記画像形成部へシート材を供給する給紙ロールが設けられ、前記引出しには前記給紙ロールと対向配置され、シート材の重送を防止する分離ロールが設けられることを特徴とする請求項１乃至８何れか１項に記載された給紙装置。
【請求項１０】
前記引出しを引き出し又は押し入れることで前記分離ロールが前記給紙ロールに対して当接又は離間する時に、前記第１受部が、前記第１凹部に入り込んでいることを特徴とする請求項９に記載された給紙装置。
【請求項１１】
前記引出しが前記筐体に装着されたことを検知する装着検知手段と、
前記装着検知手段が前記引出しの装着を検知すると、前記引出しに収納されたシート材の有無を検知するシート材検知手段と、
を備えることを特徴とする請求項９又は１０記載の給紙装置。
【請求項１２】
前記引出しには、前記引出しに収納されているシート材のサイズに応じて移動する移動部材が設けられ、前記筐体には、前記引出しの装着時に前記移動部材と当接してシート材のサイズを検出する検出部材が設けられ、前記引出しを引き出し又は押し入れることで前記移動部材が前記検出部材に当接、離間する時に、前記第１受部が、前記第１凹部に入り込んでいることを特徴とする請求項９乃至１１何れか１項に記載された給紙装置。
【請求項１３】
請求項１乃至１２の何れか１項に記載された収納装置又は給紙装置を備えたことを特徴とする画像形成装置。
【発明の詳細な説明】
【技術分野】
【０００１】
本発明は、収納装置、給紙装置、及びこの収納装置を備えた画像形成装置に関する。
【背景技術】
【０００２】
画像形成装置に備えられた給紙トレイには、画像形成装置の筐体に給紙トレイを押し入れ又は引き出す時にスムーズな可動を可能とするため、コロローラが設けられたものがある。（特許文献１）
詳細には、給紙トレイの下方に設けられた下側ガイド上を転がる下側コロローラと、給紙トレイの上方に設けられた上側ガイドに接して転がる上側コロローラが給紙トレイに設けられているため、スムーズに給紙トレイを引き出し及び押し入れすることができる。さらに、給紙トレイを筐体から引き出し、シート材を給紙トレイに収納する時には、上側コロローラがＵ溝形状のストッパー部に嵌るため、安定した状態で給紙トレイ(以下引出し)にシート材を収納することができる。
【特許文献１】特開平１１−２０９６１公報
【発明の開示】
【発明が解決しようとする課題】
【０００３】
しかしながら、この引出しは常に下側ガイド上を転がる下側コロローラに支えられている。つまり、引出しが筐体に押し入れられて装着された状態でも下側コロローラは下側ガイド上に回転可能に支持されている。このため、シート材を画像形成部へ送り出すときの反力で下側コロローラが下側ガイド上を転がり引出しの装着位置が移動してしまうことが考えられる。
【０００４】
本発明は、上記事実を考慮し、筐体に装着された引出しの移動を防止することが課題である。
【課題を解決するための手段】
【０００５】
本発明の請求項１に係る収納装置は、上方が開口した箱状の引出しと、前記引出しが引き出し及び押し入れ可能に装着される筐体と、前記筐体に設けられ、前記引出しの引き出し及び押し入れ時に前記引出しを支持するガイド部と、前記引出しの底板から下方に向けて突出し、前記引出しの引き出し及び押し入れ時に前記ガイド部に沿って移動する第１受部と、前記ガイド部に設けられ、前記筐体に前記引出しが装着された時に、前記第１受部が入り込む第１凹部と、前記筐体に設けられ、前記第１受部が前記第１凹部に入り込むと前記底板が載る着地部と、を備えることを特徴とする。
【０００６】
上記構成によれば、引出しの引き出し及び押し入れ時には、引出しの底板から下方に突設した第１受部を筐体のガイド部に沿って移動させるため、引出しの底板全面を当てて移動させる場合と比較すると、スムーズに引出しを引き出し及び押し入れすることができる。
【０００７】
また、引出しを筐体に装着させると、第１受部が第１凹部に入り込み、引出しの底板を着地部に載せることで、底板と着地部との間に移動方向の摩擦力を発生させる。これにより、引出しの移動を防止することができる。
【０００８】
本発明の請求項２に係る収納装置は、請求項１記載において、前記筐体に設けられ、前記底板に向って上方に向って突出し、前記引出しの引き出し及び押し入れ時に前記底板を支持する第２受部と、前記底板に設けられ、前記筐体に前記引出しが装着された時に、前記第２受部が入り込む第２凹部と、を備えることを特徴とする。
【０００９】
上記構成によれば、底板に向って突出した第２受部が、引出しの引き出し及び押し入れ時に底板を支持している。このため、引出しを支持する箇所が増えるので安定した姿勢で引出しを引き出し及び押し入れすることができる。
【００１０】
また、引出しを筐体に装着させると、第２受部が第２凹部に入り込み、底板と着地部を当てることができる。
【００１１】
本発明の請求項３に係る収納装置は、請求項１又は２記載において、前記着地部には、係合凹部が設けられ、前記底板には、前記筐体に前記引出しが装着された時に、前記係合凹部と係合する係合突起が設けられることを特徴とする。
【００１２】
上記構成によれば、引出しを筐体に装着させると、着地部の係合凹部と底板の係合突起が係合するため、この係合力で筐体に装着された引出しの移動を防止することができる。
【００１３】
本発明の請求項４に係る収納装置は、請求項１乃至３何れか１項に記載において、前記第１受部が前記第１凹部に入り込むと、前記第１受部が前記第１凹部の底面から離間することを特徴とする。
【００１４】
上記構成によれば、第１受部を第１凹部の底面から離間させることで、着地部に引出し全ての荷重がかかり、底板と着地部との間に発生する摩擦力を大きくすることができる。
【００１５】
本発明の請求項５に係る収納装置は、請求項２乃至４何れか１項に記載において、前記引出しの引き出し方向から見て、前記第１受部と前記第２受部は離間していることを特徴とする。
【００１６】
上記構成によれば、引出しの引き出し方向から見て、第１受部と第２受部を離間させることで、第１受部と第２受部が干渉することなく引出しを引き出し及び押し入れすることができる。
【００１７】
本発明の請求項６に係る収納装置は、請求項１乃至５何れか１項に記載において、前記前板の上面には、前記筐体の内部に向って下方に傾いている傾面部が設けられていることを特徴とする。
【００１８】
上記構成によれば、開口縁部に対し前板を引き出し及び押し入れする時に、第１受部が第１凹部に入り込むため、前板を上下動させることなく開口縁部から前板を引き出し、及び開口縁部に前板を押し入れることができる。このように、前板と開口縁部の干渉を防止することができる。
【００１９】
本発明の請求項７に係る収納装置は、請求項６記載において、前記前板の上面には、前記筐体の内部に向って下方に傾いている傾斜部が設けられていることを特徴とする。
【００２０】
上記構成によれば、前板の上面に、筐体の内部に向って下方に傾いている傾斜部を設けることで、第１凹部を奥方に設けることが出来るため、ガイド部を長くとることができる。
【００２１】
本発明の請求項８に係る収納装置は、請求項１乃至７何れか１項に記載において、第１受部又は前記第２受部の少なくとも一方はコロローラであることを特徴とする。
【００２２】
上記構成によれば、第１受部又は第２受部の少なくとも一方をコロローラにすることで、コロローラが回転してスムーズに引出しを引き出し又は押し入れることができる。
【００２３】
本発明の請求項９に係る収納装置は、請求項１乃至８何れか１項に記載において、前記収納装置は、画像形成装置の画像形成部に供給されるシート材を収納する給紙装置であって、前記筐体にはシート材を前記引出しの引き出し方向に送り出し、前記画像形成部へシート材を供給する給紙ロールが設けられ、前記引出しには前記給紙ロールと対向配置され、シート材の重送を防止する分離ロールが設けられることを特徴とする。
【００２４】
上記構成によれば、給紙ロール及び分離ロールによって、シート材を一枚ずつ引出しの引き出し方向に送り出し、画像形成部にシート材を供給する。このため、シート材を送り出すときの反力が引出し方向に作用するが、底板と着地部との間に発生する摩擦力で引出しの移動を防止することができる。
【００２５】
本発明の請求項１０に係る収納装置は、請求項９記載において、前記引出しを引き出し又は押し入れることで前記分離ロールが前記給紙ロールに対して当接又は離間する時に、前記第１受部が、前記第１凹部に入り込んでいることを特徴とする。
【００２６】
上記構成によれば、分離ロールが給紙ロールに対し当接又は離間する時に、第１受部が第１凹部に入り込んでいるため、分離ロールを上下動させることなく給紙ロールに対し当接、離間させることができる。このため、分離ロールが給紙ロールをこじることはない。
【００２７】
本発明の請求項１１に係る収納装置は、請求項９又は１０記載において、前記引出しが前記筐体に装着されたことを検知する装着検知手段と、前記装着検知手段が前記引出しの装着を検知すると、前記引出しに収納されたシート材の有無を検知するシート材検知手段と、を備えることを特徴とする。
【００２８】
上記構成によれば、装着検知手段が引出しの装着を検知した後に、シート材検知手段が引出しに収納されたシート材の有無を検知する。すなわち、引出しが着地した後に検知するため、シート材の有無を誤って検知することはない。
【００２９】
本発明の請求項１２に係る収納装置は、請求項９乃至１１何れか１項に記載において、前記引出しには、前記引出しに収納されているシート材のサイズに応じて移動する移動部材が設けられ、前記筐体には、前記引出しの装着時に前記移動部材と当接してシート材のサイズを検出する検出部材が設けられ、前記引出しを引き出し又は押し入れることで前記移動部材が前記検出部材に当接、離間する時に、前記第１受部が、前記第１凹部に入り込んでいることを特徴とする。
【００３０】
上記構成によれば、移動部材が検出部材に対し当接、離間する時に、第１受部が第１凹部に入り込んでいるため、移動部材を上下動させることなく検出部材に対し当接、離間させることができる。このため、移動部材が検出部材をこじることはない。
【００３１】
本発明の請求項１３に係る画像形成装置は、請求項１乃至１２の何れか１項に記載された収納装置又は給紙装置を備えたことを特徴とする。
【００３２】
上記構成によれば、画像形成装置には、請求項１乃至１２の何れか１項に記載された収納装置が備えられているため、筐体に装着された引出しの移動を防止することができ、安定した状態でシート材を画像形成部に供給することができる。
【発明の効果】
【００３３】
本発明によれば、筐体に装着された引出しの移動を防止することができる。
【発明を実施するための最良の形態】
【００３４】
本発明の第１実施形態に係る収納装置２０が設けられた画像形成装置１００の実施形態を図１〜５に従って説明する。
【００３５】
図５に示されるように、画像形成装置１００の筐体１０２内の下部には、画像形成装置１００から引出し可能な引出しとしての給紙カセット１８が配置されており、給紙カセット１８には、画像形成装置１００の画像形成部１１１に供給されるシート材Ｐが積載されている。
【００３６】
給紙カセット１８には、シート材Ｐが積載されるボトムプレート１６が設けられており、画像形成部１１１にシート材Ｐを給紙する際には、ボトムプレート１６は、昇降手段（図示省略）によって、上方に移動し、ボトムプレート１６に載せられた最上部のシート材Ｐを給紙ロール１２２に押し当てる構成となっている。また、給紙カセット１８を筐体１０２から引き出すとボトムプレート１６は、昇降手段によって、下方へ移動し、シート材Ｐを収納することができる。また、画像形成部１１１へシート材Ｐを送り出す時は、回転駆動する給紙ロール１２２と給紙カセット１８に設けられた分離ロール２２によって、一枚ずつ送り出される構成となっている。なお、給紙ロール１２２及び分離ロール２２については詳細を後述する。
【００３７】
また、筐体１０２内の所定位置には、搬送ロール１０６が配置されており、シート材Ｐを搬送する搬送経路１０８を構成している。また、搬送経路１０８の両側に配置されたガイド部材１２８はシート材Ｐを搬送経路１０８に沿って案内する。なお、以下において、単に「上流」、「下流」というときは、搬送方向の上流及び下流をそれぞれ意味するものとする。
【００３８】
搬送経路１０８の途中には、感光体ドラム１１０がシート材Ｐに接触するように配置されており、シート材Ｐに接触しつつ回転するようになっている。感光体ドラム１１０の表面は、図示しない帯電装置で帯電された後、露光装置１１２によって画像情報に応じたレーザービームが照射されて静電潜像が形成される。そしてこの静電潜像に対し現像装置１１４からトナーが供給され、静電潜像はトナー像として可視化される。
【００３９】
画像形成部１１１は、感光体ドラム１１０と転写ロール１３０とで構成され、感光体ドラム１１０は、転写ロール１３０との間でシート材Ｐを挟持して、シート材Ｐに密着する。これにより、感光体ドラム１１０上のトナー像がシート材Ｐに転写され、シート材Ｐに画像が形成される。
【００４０】
感光体ドラム１１０の下流側には、定着装置１１６が配置されている。定着装置１１６は、２つのロールから構成され、内部にヒータを備えた加熱ロール１１６Ｈと、加圧ロール１１６Ｎとを備えている。そして、これら２つのロールでシート材Ｐを挟持し回転搬送することでシート材Ｐを加熱し、シート材Ｐのトナー像をシート材Ｐに定着させる。
【００４１】
定着装置１１６の下流側には、排出ロール１１８が配置されており、トナー像が定着されたシート材Ｐは、排出ロール１１８によって筐体１０２の上方に設けられた排出トレイ１２６へ排出される構成となっている。
【００４２】
なお、排出トレイ１２６の上方にはスキャナ１２０が設けられており、用紙等に形成された画像情報を読み取ることができるようになっている。
【００４３】
上記構成による画像形成装置１００では、次のようにして画像が形成される。
【００４４】
まず、電圧が印加された図示しない帯電器は、感光体ドラム１１０の表面を予定の電位で一様にマイナス帯電する。
【００４５】
続いて、スキャナ１２０によって読み取られた画像情報に基づいて露光装置１１２が帯電された感光体ドラム１１０の上に静電潜像を形成する。
【００４６】
すなわち、図示しない制御装置から供給される画像情報に基づき、露光装置１１２が発光するレーザービームをオン・オフすることによって画像情報に対応した静電潜像が感光体ドラム１１０上に形成される。さらに、この静電潜像は、現像装置１１４から供給されるトナーによってトナー像として可視化される。
【００４７】
そこで、給紙カセット１８から、給紙ロール１２２と分離ロール２２によって取り出されたシート材Ｐが、一枚ずつガイド１２４に沿って搬送経路１０８に送り出せれ、搬送ロール１０６に挟持搬送されて感光体ドラム１１０と転写ロール１３０の間を通りトナー像が用紙に転写される。この転写されたトナー像は、定着装置１１６に備えられた加熱ロール１１６Ｈと加圧ロール１１６Ｎの間を通過することでシート材Ｐに定着され，排出ロール１１８によって排出トレイ１２６に排出される。
【００４８】
次に収納装置２０について説明する。
【００４９】
図１に示されるように、シート材Ｐを収納した給紙カセット１８は、上方が開口した箱状とされており、給紙カセット１８の前板としてのカバー１８Ｂには図３（Ａ）に示す凹状の把持部１８Ｃが設けられている。さらに、給紙カセット１８の底板１８Ａの下面においてカバー１８Ｂと対向する端部には、給紙カセット１８の引き出し及び押し入れ方向に回転する第１コロローラ４０が給紙カセット１８の引出方向に対し直交方向に２個設けられている。また、筐体１０２には、給紙カセット１８を引き出し及び押し入れ時に第１コロローラ４０が転がる凹状のガイド部４２が給紙カセット１８の引き出し方向に延びて設けられている。また、ガイド部４２には、給紙カセット１８が筐体１０２に装着された時に、第１コロローラ４０が入り込む第１凹部４４が設けられている。
【００５０】
また、筐体１０２には、給紙カセット１８の引き出し及び押し入れ方向に回転する第２コロローラ４６が、給紙カセット１８の底板１８Ａに向って上方へ突き出て設けられている。第２コロローラ４６は、第１コロローラ４０に対して給紙カセット１８の引出方向に離間して設けられ、さらに、給紙カセット１８の引出方向に対し直交方向に２個設けられており、給紙カセット１８を引き出し及び押し入れ時に給紙カセット１８の底板１８Ａと接して回転する構成となっている。さらに、底板１８Ａの両側端部には、給紙カセット１８が筐体１０２に装着された時に、第２コロローラ４６が入り込む第２凹部４８が設けられている。
【００５１】
また、図４（Ａ）（Ｂ）に示されるように、第１コロローラ４０と第２コロローラ４６は、給紙カセット１８の引出方向から見て離れて配置されており、さらに、第１コロローラ４０及び第２コロローラ４６が、第１凹部４４及び第２凹部４８に入り込むと、ガイド部４２の間に設けられた平面状の着地部５０に底板１８Ａが載せられる構成となっている。
【００５２】
さらに、図２、図３（Ｂ）に示されるように、第１凹部４４に入り込んだ第１コロローラ４０は、第１凹部４４の底面４４Ａから離間し、同様に、第２凹部４８に入り込んだ第２コロローラ４６は、第２凹部４８の上面４８Ａから離間する構成となっている。
【００５３】
この構成により、把持部１８Ｃを把持して給紙カセット１８を引き出し及び押し入れする時は、第１コロローラ４０がガイド部４２の上を転がり、さらに、第２コロローラ４６が底板１８Ａと接して転がるため、スムーズに給紙カセット１８を出し入れすることができる。
【００５４】
また、給紙カセット１８の装着時には、第１コロローラ４０及び第２コロローラ４６が第１凹部４４及び第２凹部４８に入り込み、底面４４Ａ及び上面４８Ａと離間して、底板１８Ａが着地部５０に載るため、底板１８Ａの下面と着地部５０との間に給紙カセット１８の移動方向に摩擦力が発生し、給紙カセット１８の移動を防止することができる。
【００５５】
さらに、第１コロローラ４０と第２コロローラ４６は、給紙カセット１８の引出方向から見て離れて配置されているため、給紙カセット１８の引き出し及び押し入れ時に、第１コロローラ４０と第２コロローラ４６が干渉して給紙カセット１８が上下動するようなことはない。
【００５６】
また、図３（Ａ）に示されるように、着地部５０には、給紙カセット１８の引出方向に対し直交方向から見て三角状の係合凹部５２が設けられており、さらに、底板１８Ａの下面には、筐体１０２に給紙カセット１８が装着された時に、係合凹部５２と係合する三角状の係合突起５４が設けられる。これにより、図３（Ｂ）に示されるように、給紙カセット１８が装着された時に、係合突起５４と係合凹部５２が係合し、この係合力で給紙カセット１８の移動を防止することができる。
【００５７】
一方、筐体１０２には、給紙カセット１８の装着時にカバー１８Ｂが嵌る開口縁部１０２Ａが設けられており、この開口縁部１０２Ａからカバー１８Ｂを引き出し、及び開口縁部１０２Ａへ押し入れる時は、第１コロローラ４０は、第１凹部４４に入り込んでおり、同様に、第２コロローラ４６は、第２凹部４８に入り込んでいる構成となっている。このため、カバー１８Ｂの上端の軌跡は、図３（Ａ）に示す一点鎖線Ｄに示すようになり、カバー１８Ｂが開口縁部１０２Ａに入る時は、水平方向となっている。このように、カバー１８Ｂの移動軌跡を水平にすることで、カバー１８Ｂが上下動して開口縁部１０２Ａに干渉するのを防止することができる。
【００５８】
さらに、カバー１８Ｂの上面には、筐体１０２の内部に向って下方に傾いている傾面５８が設けられている。これにより、開口縁部１０２Ａからカバー１８Ｂを引き出す時に、早いタイミングで第１コロローラ４０をガイド部４２に載せてカバー１８Ｂを上方へ移動させてもカバー１８Ｂと開口縁部１０２Ａが干渉することはない。
【００５９】
また、図３（Ｂ）に示されるように、回転駆動して画像形成部１１１（図５参照）へシート材Ｐを送り出す給紙ロール１２２は、筐体１０２にブラケット（図示省略）にて軸支されており、給紙カセット１８の引出方向（矢印Ｅ）と同じ方向（矢印Ｆ）にシート材Ｐを送り出すようになっている。さらに、給紙ロール１２２の下側には、給紙カセット１８に軸支された分離ロール２２が設けられている。
【００６０】
分離ロール２２は、トルクリミッター内蔵（図示省略）で、１枚のシート材Ｐを介して給紙ロール１２２の回転力を受けるときは、シート材Ｐと相対移動することなく回転するが、２〜３枚のシート材Ｐが重送されたときには、この２〜３枚のシート材Ｐの間の摩擦抵抗が小さいため、最上層のシート材Ｐのみが給紙ロール１２２によって画像形成部１１１へ送り出され、下層のシート材Ｐは分離ロール２２の回転抵抗力によって送りが阻止されるようになっている。
【００６１】
このため、シート材Ｐを送り出すときの反力が分離ロール２２を介して給紙カッセット１８に負荷されるが、底板１８Ａと平面状の着地部５０との間に発生する移動方向の摩擦力での給紙カセット１８の移動を防止することができる。
【００６２】
また、給紙カセット１８を引き出し又は押し入れることで分離ロール２２を給紙ロール１２２に対して当り又は離間する時には、第１コロローラ４０が第１凹部４４に入り込んでおり、さらに、第２コロローラ４６は、第２凹部４８に入り込んでいるようになっている。つまり、分離ロール２２を水平方向から給紙ロール１２２に近づけて当てる構成となっている。このように、分離ロール２２を上下動させることなく水平方向に移動させることで、分離ロール２２が給紙ロール１２２をこじることを防止することができる。
【００６３】
一方、第２コロローラ４６の下方には、給紙カセット１８の装着を検知する装着検知手段としての装着センサ６０が設けられている。この装着センサ６０は、押圧スイッチ６０Ａを備えており、給紙カセット１８が筐体１０２に装着されるとカバー１８Ｂの裏面が押圧スイッチ６０Ａを押して、給紙カセット１８の装着を検知することができる。
【００６４】
さらに、着地部５０の上方には、図示せぬブラケットに軸支された弓状のアクチュエータ６２が設けられており、このアクチュエータ６２には、シート材Ｐの有無を検知するシート材検知センサ６４が接続されている。このアクチュエータ６２は、装着センサ６０が給紙カセット１８の装着を検知すると、図３（Ａ）に示す矢印Ｇ方向に回転し、給紙カセット１８に収納されている最上部のシート材Ｐに接し、シート材検知センサ６４は、アクチュエータ６２の回転量に基づいてシート材Ｐの有無を検知する構成となっている。このように、給紙カセット１８が装着された後に、シート材検知センサ６４がシート材Ｐの有無を検知するため、シート材Ｐの有無を誤って検知することはない。
【００６５】
なお、給紙カッセット１８を筐体１０２から引き出すと、アクチュエータ６２は図３（Ｂ）に示すＨ方向に回転して退避するようになっている。
【００６６】
また、図１に示されるように、給紙カセット１８の底板１８Ａには、収納されるシート材Ｐの後端に当ってシート材Ｐの収納位置を揃えるエンドフェンス６６が、シート材Ｐの送り出し方向にスライド可能に設けられている。また、給紙カセット１８の側面１８Ｅ上には、エンドフェンス６６のスライド位置に応じて移動する移動部材としての矩形状の移動ブロック７０が設けられている。この移動ブロック７０の中心には、円孔７０Ａが設けられており、エンドフェンス６６がスライドすると、リンク（図示省略）を介して移動ブロック７０が側面１８Ｅ上をシート材送出し方向に移動するようになっている。つまり、シート材Ｐのサイズに基づいて、移動ブロック７０の円孔７０Ａの位置が変わる構成となっている。
【００６７】
さらに、筐体１０２には、給紙カセット１８の装着時に移動ブロック７０と当り、円孔７０Ａの位置を検知してシート材Ｐのサイズ情報を受取る検出部材としての矩形状の検出センサ７２が図示せぬブラケットに固定されて設けられている。詳細には、検出センサ７２の移動ブロック７０との当り面には、出し入れ自在の半円状のプッシュスイッチが複数設けられており、移動ブロック７０の円孔７０Ａの位置をこのプッシュスイッチが検知してシート材Ｐのサイズ情報を受取るようになっている。
【００６８】
また、給紙カセット１８を引き出し又は押し入れることで移動ブロック７０を検出センサ７２に当り又は離間させる時には、第１コロローラ４０は、第１凹部４４に入り込んでおり、さらに、第２コロローラ４６は、第２凹部４８に入り込んでいる構成となっている。これにより、移動ブロック７０を上下動させることなく検出センサ７２に対し当接、離間させることができるため、移動ブロック７０が検出センサ７２をこじることを防止することができる。
【００６９】
次に本発明の第２実施形態に係る収納装置２０が設けられた画像形成装置１００について説明する。
【００７０】
なお、第１実施形態と同一部材については、同一符号を付してその説明を省略する。
【００７１】
図６に示されるように、この実施形態では第１実施形態とは違い、第１コロローラ４０及び第２コロローラ４６は設けられておらず、底板１８Ａの下面からは、角部が丸まった一対の第１突起部８０と一対の第２突起部８２が設けられている。
【００７２】
詳細には、底板１８Ａのカバー１８Ｂと対向する端部に、第１突起部８０が給紙カセット１８の引出方向に対し直交方向に２個設けられている。また、筐体１０２には、給紙カセット１８を引き出し及び押し入れ時に第１突起部８０を支持する凹状のガイド部８４が給紙カセット１８の引き出し方向に延びて設けられている。また、ガイド部８４には、給紙カセット１８が筐体１０２に装着された時に、第１突起部８０が入り込む第１凹部８６が設けられている。
【００７３】
さらに、第１突起部８０のカバー１８Ｂ側には、第１突起部８０と同形状の第２突起部８２が、給紙カセット１８の引出方向に対し直交方向に２個設けられている。第２突起部８２は、底板１８Ａの両側端部に設けられており、筐体１０２には、給紙カセット１８を引き出し及び押し入れ時に第２突起部８２を支持する凹状のガイド部８８が給紙カセット１８の引き出し方向に延びて設けられている。また、ガイド部８８には、給紙カセット１８が筐体１０２に装着された時に、第２突起部８２が入り込む第２凹部９０が設けられている。
【００７４】
この構成により、給紙カセット１８の引き出し及び押し入れ時には、図８（Ａ）、図９（Ａ）に示されるように、第１突起部８０及び第２突起部８２がガイド部８４及びガイド部８８に沿って移動するため、底板１８Ａを平面状の着地部５０に載せて移動させる場合と比較すると、スムーズに給紙カセット１８を引き出し及び押し入れすることができる。
【００７５】
また、図７、図８（Ｂ）、図９（Ｂ）に示されるように、給紙カセット１８を筐体１０２に装着させると、第１突起部８０が第１凹部８６に入り込み、同時に、第２突起部８２が第２凹部９０に入り込こむ。これにより、底板１８Ａと着地部５０との間に移動方向の摩擦力が発生すため、装着時における給紙カセット１８の移動を防止することができる。
【図面の簡単な説明】
【００７６】
【図１】本発明の第１実施形態に係る収納装置を示し、給紙カセットを筐体から引き出した状態の斜視図である。
【図２】本発明の第１実施形態に係る収納装置を示し、給紙カセットを筐体に装着した状態の斜視図である。
【図３】（Ａ）本発明の第１実施形態に係る収納装置を示し、給紙カセットを筐体から引き出した状態を側面から見た断面図である。（Ｂ）本発明の第１実施形態に係る収納装置を示し、給紙カセットを筐体に装着した状態を側面から見た断面図である。
【図４】（Ａ）本発明の第１実施形態に係る収納装置を示し、給紙カセットを筐体から引き出した状態を給紙カセット引出方向から見た断面図である。（Ｂ）本発明の第１実施形態に係る収納装置を示し、給紙カセットを筐体に装着した状態を給紙カセット引出方向から見た断面図である。
【図５】本発明の第１実施形態に係る画像形成装置の概略構成図である。
【図６】本発明の第２実施形態に係る収納装置を示し、給紙カセットを筐体から引き出した状態の斜視図である。
【図７】本発明の第２実施形態に係る収納装置を示し、給紙カセットを筐体に装着した状態の斜視図である。
【図８】（Ａ）本発明の第２実施形態に係る収納装置を示し、給紙カセットを筐体から引き出した状態を側面から見た断面図である。（Ｂ）本発明の第２実施形態に係る収納装置を示し、給紙カセットを筐体に装着した状態を側面から見た断面図である。
【図９】（Ａ）本発明の第２実施形態に係る収納装置を示し、給紙カセットを筐体から引き出した状態を給紙カセット引出方向から見た断面図である。（Ｂ）本発明の第２実施形態に係る収納装置を示し、給紙カセットを筐体に装着した状態を給紙カセット引出方向から見た断面図である。
【符号の説明】
【００７７】
１６        ボトムプレート
１８        給紙カセット（引出し）
１８Ａ      底板
１８Ｂ      カバー（前板）
２０        収納装置（給紙装置）
２２        分離ロール
４０        第１コロローラ（第１受部）
４２        ガイド部
４４        第１凹部
４４Ａ      底面
４６        第２コロローラ
４８        第２凹部
５０        着地部
５２        係合凹部
５４        係合突起
５８        傾面
６０Ａ      押圧スイッチ
６０        装着センサ（装着検知手段）
６４        シート材検知センサ
６６        エンドフェンス
７０        移動ブロック（移動部材）
７２        検出センサ（検出部材）
８０        第１突起部
８２        第２突起部
８４        ガイド部
８６        第１凹部
８８        ガイド部
９０        第２凹部
１００      画像形成装置
１０２Ａ    開口縁部
１０２      筐体
１１１      画像形成部
１２２      給紙ロール
【図１】
2008110826.tif 000003
【図２】
2008110826.tif 000004
【図３】
2008110826.tif 000005
【図４】
2008110826.tif 000006
【図５】
2008110826.tif 000007
【図６】
2008110826.tif 000008
【図７】
2008110826.tif 000009
【図８】
2008110826.tif 000010
【図９】
2008110826.tif 000011